(57)【要約】【課題】主に各種電子機器の遠隔操作に用いられるリモコン送信機に関し、操作が容易で、使い易いものを提供することを目的とする。【解決手段】操作手段２２の操作に応じたリモコン受信機１２からの応答信号を受信した際に、制御手段２５がその操作による設定状態を記憶することによって、例えば所定の曜日の所定の時刻にテレビのある番組を見たい場合等に、所定の一つの操作キー、例えばメモリー用の操作キー２２Ｄを押圧操作するだけで、所望の番組を選択できるため、容易な操作で、誤操作もなく使い易いリモコン送信機を得ることができる。【選択図】図１
2011130149.tif 000002
【特許請求の範囲】
【請求項１】
複数の操作キーが配列された操作手段と、この操作キーの操作に応じて送信手段から操作信号を送信すると共に、受信手段を介してリモコン受信機からの応答信号を受信する制御手段からなり、上記操作手段の操作に応じた上記応答信号を受信した際に、上記制御手段がその操作による設定状態を記憶するリモコン送信機。
【発明の詳細な説明】
【技術分野】
【０００１】
本発明は、主に各種電子機器の遠隔操作に用いられるリモコン送信機に関するものである。
【背景技術】
【０００２】
近年、テレビやエアコン等の各種電子機器の高機能化が進むなか、これらを遠隔操作するリモコン送信機においても、発光ダイオード等を用いて赤外線によって操作を行うものに加え、離れた位置や家具等の遮蔽物があった場合でも遠隔操作が可能なように、電波を用いたものが多く用いられるようになっている。
【０００３】
このような従来のリモコン送信機について、図４を用いて説明する。
【０００４】
図４は従来のリモコン送受信装置の斜視図であり、同図において、１は略箱状で絶縁樹脂製のケースで、このケース１上面の複数の開口孔には複数の操作キー２Ａや２Ｂ等が配列され、これらが上下動可能に突出して操作手段２が形成されている。
【０００５】
そして、ケース１内には上下面に複数の配線パターンが形成された配線基板（図示せず）が収納されると共に、操作手段２下方の配線基板上面には、複数の操作キー２Ａや２Ｂ等の上下動によって電気的接離を行う、複数のスイッチ接点（図示せず）が形成されている。
【０００６】
さらに、このケース１内の配線基板の上下面にはアンテナ等によって送信手段３や受信手段４、マイコン等の電子部品によって制御手段５が各々形成されて、リモコン送信機６が構成されている。
【０００７】
また、７はテレビ等の電子機器で、この前面には液晶表示素子やブラウン管等によって表示手段８が形成されると共に、アンテナ等の送信手段９や受信手段１０、マイコン等の制御手段１１から形成された、リモコン受信機１２が収納され、このリモコン受信機１２とリモコン送信機６によって、リモコン送受信装置が構成されている。
【０００８】
以上の構成において、リモコン送信機６の操作手段２の複数の操作キーのうち、例えば電源用の操作キー２Ａを押圧操作すると、この下方のスイッチ接点の電気的接離が行われ、これを制御手段５が検出して、ヘッダコードや操作コード等から形成された電源用の操作信号が、送信手段３から電波として送信される。
【０００９】
そして、これをリモコン受信機１２の受信手段１０が受信すると共に、制御手段１１がこの操作信号を照合して所定の駆動信号を出力し、操作信号に応じたテレビの操作、例えば電源が入り、所定のチャンネルのテレビ放送が表示手段８に写し出される。
【００１０】
また、例えば選局切換え用の操作キー２Ｂを押圧操作すると、この下方のスイッチ接点の電気的接離を制御手段５が検出して、選局用の操作信号が送信手段３から電波として送信され、これを受信手段１０が受信して、この操作信号に応じたテレビの操作、例えばテレビの表示手段８に放映されているチャンネルが「６」に切り換わる。
【００１１】
さらに、このチャンネルが見たい番組ではない場合には、他の選局切換え用の操作キー、例えば操作キー２Ｃ等を順次押圧操作すると、上記と同様に選局用の操作信号がリモコン送信機６から送信され、テレビのチャンネルが順次切換わって、所望の番組を選択することができる。
【００１２】
なお、このようにリモコン送信機６から電源の入／切や選局切換え等の操作信号が送信され、これをリモコン受信機１２の受信手段１０が受信した際には、これらの操作信号を受信したことを示す所定の応答信号を、制御手段１１が送信手段９から電波として送信し、これをリモコン送信機６の制御手段５が受信手段４を介して受信することで、遠隔操作が確実に行われたか否かの確認が行われる。
【００１３】
そして、この時、外部からの電波障害等によって、操作信号をリモコン受信機１２が受信できず、送信手段９から応答信号が送信されなかった場合や、リモコン送信機６が応答信号を受信できなかった場合には、リモコン送信機６から上記と同様の電源の入／切や選局切換え等の操作信号が、再度送信されるようになっている。
【００１４】
つまり、操作手段２の操作に応じて、リモコン送信機６から所定の操作信号を送信し、これによってテレビ等の電子機器７の様々な操作が離れた場所から行えると共に、リモコン送信機６とリモコン受信機１２が双方向で送受信を行うことで、操作信号の電波が届かなかった場合等にも、確実に遠隔操作が行えるように構成されているものであった。
【００１５】
なお、この出願の発明に関連する先行技術文献情報としては、例えば、特許文献１が知られている。
【先行技術文献】
【特許文献】
【００１６】
【特許文献１】特開２００５−３２８２４４号公報
【発明の概要】
【発明が解決しようとする課題】
【００１７】
しかしながら、上記従来のリモコン送信機においては、テレビ等の電子機器７の様々な遠隔操作を行う際、例えばテレビの所望の番組を選択するには、選局切換え用の複数の操作キー２Ｂや２Ｃ等を順次押圧操作し、チャンネルを順次切換えて番組を探す必要があるため、操作が煩雑で、誤操作も生じ易くなってしまうという課題があった。
【００１８】
本発明は、このような従来の課題を解決するものであり、操作が容易で、使い易いリモコン送信機を提供することを目的とする。
【課題を解決するための手段】
【００１９】
上記目的を達成するために本発明は、操作手段の操作に応じたリモコン受信機からの応答信号を受信した際に、制御手段がその操作による設定状態を記憶するようにしてリモコン送信機を構成したものであり、応答信号を受信した際に制御手段がその操作による設定状態を記憶し、例えば所定の曜日の所定の時刻に、テレビのある番組を見たい場合等に、所定の一つの操作キーを押圧操作するだけで所望の番組を選択できるため、容易な操作で、誤操作もなく使い易いリモコン送信機を得ることができるという作用を有するものである。
【発明の効果】
【００２０】
以上のように本発明によれば、操作が容易で、使い易いリモコン送信機を実現できるという有利な効果が得られる。
【図面の簡単な説明】
【００２１】
【図１】本発明の一実施の形態によるリモコン送受信装置のブロック回路図
【図２】同斜視図
【図３】同他の実施の形態による斜視図
【図４】従来のリモコン送受信装置の斜視図
【発明を実施するための形態】
【００２２】
以下、本発明の実施の形態について、図１〜図３を用いて説明する。
【００２３】
なお、背景技術の項で説明した構成と同一構成の部分には同一符号を付して、詳細な説明を簡略化する。
【００２４】
（実施の形態）
図１は本発明の一実施の形態によるリモコン送受信装置のブロック回路図、図２は同斜視図であり、同図において、２１は略箱状でポリスチレンやＡＢＳ等の絶縁樹脂製のケースで、このケース２１上面の複数の開口孔には、ゴムや絶縁樹脂製の複数の操作キー２２Ａや２２Ｂ等が配列され、これらが上下動可能に突出して操作手段２２が形成されている。
【００２５】
そして、ケース２１内には上下面に銅箔等によって複数の配線パターンが形成された、紙フェノールやガラス入りエポキシ等の配線基板（図示せず）が収納されると共に、操作手段２２下方の配線基板上面には、複数の操作キー２２Ａや２２Ｂ等の上下動によって電気的接離を行う、複数のスイッチ接点（図示せず）が形成されている。
【００２６】
さらに、このケース２１内の配線基板の上下面にはアンテナ等によって送信手段３や受信手段４、マイコン等の電子部品によって制御手段２５が各々形成されて、リモコン送信機２６が構成されている。
【００２７】
また、７はテレビ等の電子機器で、この前面には液晶表示素子やブラウン管等によって表示手段８が形成されると共に、アンテナ等の送信手段９や受信手段１０、マイコン等の制御手段１１から形成された、リモコン受信機１２が収納され、このリモコン受信機１２とリモコン送信機２６によって、リモコン送受信装置が構成されている。
【００２８】
以上の構成において、リモコン送信機２６の操作手段２２の複数の操作キーのうち、例えば電源用の操作キー２２Ａを押圧操作すると、この下方のスイッチ接点の電気的接離が行われ、これを制御手段２５が検出して、ヘッダコードや操作コード等から形成された電源用の操作信号が、送信手段３から例えば周波数２〜３ＧＨｚ前後の電波として送信される。
【００２９】
そして、これをリモコン受信機１２の受信手段１０が受信すると共に、制御手段１１がこの操作信号を照合して所定の駆動信号を出力し、操作信号に応じたテレビの操作、例えば電源が入り、所定のチャンネルのテレビ放送が表示手段８に写し出される。
【００３０】
また、例えば選局切換え用の操作キー２２Ｂを押圧操作すると、この下方のスイッチ接点の電気的接離を制御手段２５が検出して、選局切換え用の操作信号が送信手段３から電波として送信され、これを受信手段１０が受信して、この操作信号に応じたテレビの操作、例えばテレビの表示手段８に放映されているチャンネルが「６」に切り換わる。
【００３１】
なお、このようにリモコン送信機２６から電源の入／切や選局切換え等の操作信号が送信され、これをリモコン受信機１２の受信手段１０が受信した際には、これらの操作信号を受信したことを示す所定の応答信号を、制御手段１１が送信手段９から電波として送信し、これをリモコン送信機２６の制御手段２５が受信手段４を介して受信することで、遠隔操作が確実に行われたか否かの確認が行われる。
【００３２】
そして、この時、外部からの電波障害等によって、操作信号をリモコン受信機１２が受信できず、送信手段９から応答信号が送信されなかった場合や、リモコン送信機２６が応答信号を受信できなかった場合には、リモコン送信機２６から上記と同様の電源の入／切や選局切換え等の操作信号が、再度送信されるようになっている。
【００３３】
つまり、操作手段２２の操作に応じて、リモコン送信機２６から所定の操作信号を送信し、これによってテレビ等の電子機器７の様々な操作が離れた場所から行えると共に、リモコン送信機２６とリモコン受信機１２が双方向で送受信を行うことで、操作信号の電波が届かなかった場合等にも、確実に遠隔操作が行えるように構成されている。
【００３４】
さらに、このリモコン受信機１２からの応答信号をリモコン送信機２６が受信した際には、制御手段２５がその操作による電子機器７の設定状態、例えば操作キー２２Ｂが押圧操作され、テレビのチャンネルが「６」に設定されたことと、内蔵したタイマーによってその操作された曜日と時刻、例えば日曜日の８時を記憶する。
【００３５】
また、このチャンネル「６」の番組を見終わった後、他の選局切換え用の操作キー、例えば操作キー２２Ｃを押圧操作して、チャンネルを「９」に切り換え、この応答信号をリモコン受信機１２から受信した場合にも、同様にテレビのチャンネルが「９」に設定されたことと、その操作された曜日と時刻、例えば日曜日の１０時を記憶する。
【００３６】
以下、同様に、操作手段２２の操作キーが押圧操作されてテレビの遠隔操作が行われ、リモコン送信機２６がリモコン受信機１２からの応答信号を受信した場合には、例えば月曜日の９時にはチャンネル「２」、火曜日の１１時にはチャンネル「４」というように、テレビのチャンネルの設定状態と曜日及び時刻を制御手段２５がデータとして記憶する。
【００３７】
そして、例えば翌週の日曜日の８時前後に操作キー２２Ａを押圧操作して、テレビの電源を入れた後、別途設けられたメモリー用の操作キー２２Ｄを押圧操作すると、この下方のスイッチ接点の電気的接離が行われ、これを制御手段２５が検出し、内蔵したタイマーによって日曜日の８時前後であることを確認すると共に、記憶した日曜日の８時はチャンネル「６」というデータに基づいて、選局用の操作信号が送信手段３から電波として送信され、テレビのチャンネルが「６」に切り換わる。
【００３８】
また、同様に、このメモリー用の操作キー２２Ｄが、日曜日の１０時前後に操作された場合にはチャンネル「９」、月曜日の９時前後に操作された場合にはチャンネル「２」、火曜日の１１時前後に操作された場合にはチャンネル「４」の選局用の操作信号が、各々リモコン送信機２６から送信される。
【００３９】
つまり、操作手段２２を押圧操作して所定の操作信号が送信され、これに応じてテレビ等の電子機器７の操作が行われると共に、リモコン受信機１２からの応答信号をリモコン送信機２６が受信した際には、先ず、制御手段２５がその操作による電子機器７の設定状態、例えば何チャンネルに設定されたかと、その曜日及び時刻を記憶する。
【００４０】
そして、この後、操作メモリー用の操作キー２２Ｄが押圧操作されると、その操作された日の曜日と時間帯を記憶したデータから検索し、一致するものがある場合には、その曜日と時間帯に記憶した電子機器７の設定状態に応じた操作信号、例えばチャンネル「６」や「９」等の操作信号を送信するようになっている。
【００４１】
したがって、毎週見たい番組等がある場合には、上記のような操作によって制御手段２５に、一旦その番組のチャンネルと曜日や時刻を記憶させておけば、翌週からはその時間帯にメモリー用の操作キー２２Ｄを押圧操作するだけで、テレビを見たいチャンネルに切り換えることができる。
【００４２】
すなわち、リモコン受信機１２からの応答信号を受信した際に、制御手段２５がその操作による電子機器７の設定状態と、曜日や時刻を記憶することによって、選局切換え用の複数の操作キー２２Ｂや２２Ｃ等を押圧操作することなく、一つのメモリー用の操作キー２２Ｄを押圧操作するだけで、所望の番組を選択できるように構成されている。
【００４３】
また、リモコン受信機１２からの応答信号をリモコン送信機２６が受信し、確実に電子機器７の遠隔操作が行われた場合にのみ、制御手段２５がその操作による設定状態を記憶することで、外部からの電波障害等によって、リモコン受信機１２が操作信号を受信できなかった場合や、リモコン送信機２６が応答信号を受信できなかった場合には、制御手段２５はその時の操作による設定状態を記憶しないため、誤ったデータを制御手段２５が記憶することを防ぐことができるようになっている。
【００４４】
さらに、見たい番組が変わって設定を変更したい場合や、誤ったチャンネルや曜日や時刻を制御手段２５に記憶させてしまった場合には、別途設けられたキャンセル用の操作キー２２Ｅを押圧操作すれば、この下方のスイッチ接点の電気的接離を制御手段２５が検出し、記憶した全てのデータ、あるいはその直前の操作による設定状態のデータのみが消去されるように構成されている。
【００４５】
なお、以上の説明では、リモコン送信機２６によって主にテレビ等の電子機器７を遠隔操作する構成について説明したが、図３の斜視図に示すように、送信手段９や受信手段１０、制御手段１１から形成されたリモコン受信機１２が収納された、エアコン等の空調機器２７をリモコン送信機２６Ａによって遠隔操作する構成においても、本発明の実施は可能である。
【００４６】
つまり、この場合には、リモコン送信機２６Ａの操作手段２２の、例えば温度切換え用の操作キー２２Ｆを押圧操作すると、この下方のスイッチ接点の電気的接離が行われ、これを制御手段２５が検出して、温度切換え用の操作信号が送信手段３から電波として送信される。
【００４７】
そして、これをリモコン受信機１２の受信手段１０が受信して、エアコンの温度が切換わると共に、制御手段１１が応答信号を送信手段９から送信し、これをリモコン送信機２６Ａの制御手段２５が受信手段４を介して受信する。
【００４８】
また、このリモコン受信機１２からの応答信号をリモコン送信機２６Ａが受信した際には、これによって空調機器２７の確実な遠隔操作が行われたと判断し、制御手段２５がその操作による空調機器２７の設定状態、例えば設定された動作モードや温度と、内蔵したタイマーによってその操作された時刻を、例えば６時には「ドライ」の「２５度」、１２時には「冷房」の「２２度」というように記憶する。
【００４９】
そして、例えば翌日にメモリー用の操作キー２２Ｄを押圧操作すると、その時間帯が例えば６時前後であった場合には、エアコンをドライの２５度に設定するための操作信号がリモコン送信機２６Ａから送信され、１２時であった場合には冷房の２２度に設定するための操作信号が送信される。
【００５０】
すなわち、温度切換え用の操作キー２２Ｆを何度も押圧操作することなく、一つのメモリー用の操作キー２２Ｄを押圧操作するだけで、エアコンを時間帯に合わせた所望の温度に設定できるように構成されている。
【００５１】
なお、上記のようにメモリー用の操作キー２２Ｄを押圧操作するのではなく、通常の操作と同様に、リモコン送信機２６や２６Ａの選局切換え用の操作キー２２Ｂや２２Ｃ、温度切換え用の操作キー２２Ｆ等を押圧操作した場合には、通常通り、テレビのチャンネルやエアコンの温度の切換えが遠隔操作によって行われる。
【００５２】
さらに、以上の説明では、制御手段２５が記憶する設定状態の一例として、テレビのチャンネルやエアコンの動作モードや温度について説明したが、この他にも例えば、地上波放送かＢＳ放送かといったテレビが受信する放送モードや、風量や風向きといったエアコンの機能等、リモコン送信機２６や２６Ａで遠隔操作可能な様々な設定状態を記憶する構成としても、本発明の実施は可能である。
【００５３】
このように本実施の形態によれば、操作手段２２の操作に応じたリモコン受信機１２からの応答信号を受信した際に、制御手段２５がその操作による電子機器７や空調機器２７の設定状態を記憶することによって、例えば所定の曜日の所定の時刻にテレビのある番組を見たい場合や、時間帯によってエアコンの動作モードや温度を変えたい場合等に、所定の一つの操作キー、例えばメモリー用の操作キー２２Ｄを押圧操作するだけで、所望の番組や動作モード、温度等を選択できるため、容易な操作で、誤操作もなく使い易いリモコン送信機を得ることができるものである。
【産業上の利用可能性】
【００５４】
本発明によるリモコン送信機は、操作が容易で、使い易いものが得られ、主に各種電子機器の遠隔操作用として有用である。
【符号の説明】
【００５５】
３  送信手段
４  受信手段
７  電子機器
８  表示手段
９  送信手段
１０  受信手段
１１  制御手段
１２  リモコン受信機
２１  ケース
２２  操作手段
２２Ａ、２２Ｂ、２２Ｃ、２２Ｄ、２２Ｅ、２２Ｆ  操作キー
２５  制御手段
２６、２６Ａ  リモコン送信機
２７  空調機器
【図１】
2011130149.tif 000003
【図２】
2011130149.tif 000004
【図３】
2011130149.tif 000005
【図４】
2011130149.tif 000006